(57)【要約】【課題】携帯音楽プレーヤーにおける押圧旋回操作式の円形タッチパッドをいわゆるレトロ風の立体的な回転ダイヤルによって操作できるように変換する。【解決手段】格納してある音楽・画像・テキストその他の各種の電子データを円形タッチパッドＴに対する操作で制御するようになっている携帯音楽プレーヤーＰの前面部を覆って携帯音楽プレーヤーＰに装着するカバー本体１を形成する。このカバー本体１に、円形タッチパッドＴ直上に位置する操作機構１０を設ける。操作機構１０は、カバー本体１に開口した操作窓口７内でカバー本体１上に突出させて回転可能に支持し、円形タッチパッドＴの周縁部分を回転に伴い部分的に順次に押圧する回転ダイヤル１１と、この回転ダイヤル１１の中心で出没自在にして支持し、円形タッチパッドＴにおける中央ボタンＢを押圧する押しボタン３０とを備えて成る。【選択図】図２
0003124211.tif 000002
【実用新案登録請求の範囲】
【請求項１】
格納されている音楽・画像・テキストその他の各種の電子データを円形タッチパッドに対する操作で制御するようになっている携帯音楽プレーヤーの前面部を覆って携帯音楽プレーヤーに装着されるカバー本体と、円形タッチパッド直上に位置してカバー本体に設けられた操作機構とから成り、操作機構は、カバー本体に開口された操作窓口内でカバー本体上に突出させて回転可能に支持され、円形タッチパッドの周縁部を回転に伴い部分的に順次に押圧する回転ダイヤルと、この回転ダイヤルの中心で出没自在にして支持され、円形タッチパッドにおける中央ボタンを押圧する押しボタンとを備えて成ることを特徴とする携帯音楽プレーヤー用回転式ジョグダイヤル具。
【請求項２】
操作機構は、円形タッチパッドの周辺部に当接するようカバー本体裏面にカバー本体自体を部分的に肉厚状にして形成したセット部に設けられている請求項１に記載の携帯音楽プレーヤー用回転式ジョグダイヤル具。
【請求項３】
回転ダイヤルは、操作窓口の内周縁面に操作窓口の中心側に向かって突設形成したガイド支持縁上に載置し、ガイド支持縁下に配した押圧カバーとでガイド支持縁を挟持した状態で相互に固定されて操作窓口内で回転自在にすると共に、押圧カバーには円形タッチパッドの周縁部分を部分的に押圧する押圧片を固着してある請求項１または２に記載の携帯音楽プレーヤー用回転式ジョグダイヤル具。
【請求項４】
回転ダイヤルはクリック付与手段でクリック係止されるものとしてあり、このクリック付与手段は、押圧カバー側の端部に回転ダイヤル本体部分に比し小径にすることで回転ダイヤル自体にクリック段部を形成し、操作窓口に連通させて押圧カバー側の内周縁に窪み状に形成したクリック凹所に設けたクリックアーム先端が、クリック段部の周縁に形成してある凹凸状のクリック溝に間欠的に係止するようにして成る請求項１乃至３のいずれかに記載の携帯音楽プレーヤー用回転式ジョグダイヤル具。
【請求項５】
押圧片を固着してある押圧カバーは、円形タッチパッド面に当接してカバー本体に付設されるカバーシートにて覆われている請求項１乃至４のいずれかに記載の携帯音楽プレーヤー用回転式ジョグダイヤル具。
【請求項６】
押しボタンは、回転ダイヤルの上面に開口した段部状のボタン収納口内に弾発的に押し込み可能に配し、回転ダイヤルの下面に開口した段部状の出没操作口内に出没可能にして、円形タッチパッドの中央ボタン上に位置決めして配した押圧体と相互に固定してある請求項１乃至５のいずれかに記載の携帯音楽プレーヤー用回転式ジョグダイヤル具。
【考案の詳細な説明】
【技術分野】
【０００１】
この考案は携帯音楽プレーヤーにおける選曲、再生、早送り、早戻しその他を操作制御するよう、プレーヤー本体前面で平坦面状に構成された押圧旋回操作式の円形タッチパッドをいわゆるレトロ風の立体的な回転ダイヤルによって操作できるように変換する携帯音楽プレーヤー用回転式ジョグダイヤル具に関する。
【背景技術】
【０００２】
近時、好みの音楽を個人的に常時楽しめるようにした携帯音楽プレーヤーが普及している。特にアップル・コンピュータ・インコーポレイテッド社が提供している商品名「ｉＰｏｄ／アイポッド」（登録商標）は、携帯容易となるように小型化され、操作性にも優れ、通信による音楽の取り込み・購入も容易であることから好評を博し、多くの音楽ファンがこれを所有している。またこれは、その洗練された商品企画と相俟ってアイポッドブームと呼ばれるほどの一つの社会現象にもなっている。
【０００３】
このアップル・コンピュータ・インコーポレイテッド社が提供している携帯音楽プレーヤーにあっては、これの操作部はプレーヤー本体前面に配した押圧旋回操作式の回転入力デバイスとして構成し、これを円形タッチパッドにて操作するようになっている（特許文献１参照）。この円形タッチパッドの操作自体は、ディスプレーに表示されたアイテムを選択するようパッド面の周縁部分上に沿って手指等で押圧し、次いで中央ボタンを押圧することで選曲、再生、早送り、早戻しその他を行うとする。
【特許文献１】特表２００５−５０７１１２号公報
【考案の開示】
【考案が解決しようとする課題】
【０００４】
この円形タッチパッドに対する操作は、これの上面が本体前面と同一平坦面となるように構成されていることで、洗練された先進的なイメージを醸し出し、これが人気を博している一因ともなっている。こうした人気に伴い、この携帯音楽プレーヤーを対象とし、これの専用附属品として各種の周辺機器が提供もされ、特に携帯時のプレーヤー本体の保護更には装飾・化粧等を目的とする保護ケースが数多く提案されている。ただ、従来提案の保護ケースは、プレーヤー本体の保護等を図るのを専らとし、円形タッチパッドに対する異なる操作性を考慮したものではなかった。
【０００５】
そこでこの考案は叙上のような従来存した諸事情に鑑み案出されたもので、プレーヤー本体の保護を図るのみならず、円形タッチパッドに対する操作をいわゆるレトロ風の立体的に構成した回転ダイヤルによる操作に変換して行えるようにすることにある。またプレーヤー本体の前面が平坦面であることで円形タッチパッドに対する操作が困難で、操作感が乏しいと感じる場合に、その操作の確実性を感知できるようにした携帯音楽プレーヤー用回転式ジョグダイヤル具を提供することを目的とする。
【課題を解決するための手段】
【０００６】
上述した課題を解決するため、この考案にあっては、格納されている音楽・画像・テキストその他の各種の電子データを円形タッチパッドＴに対する操作で制御するようになっている携帯音楽プレーヤーＰの前面部を覆って携帯音楽プレーヤーＰに装着されるカバー本体１と、円形タッチパッドＴ直上に位置してカバー本体１に設けられた操作機構１０とから成り、操作機構１０は、カバー本体１に開口された操作窓口７内でカバー本体１上に突出させて回転可能に支持され、円形タッチパッドＴの周縁部を回転に伴い部分的に順次に押圧する回転ダイヤル１１と、この回転ダイヤル１１の中心で出没自在にして支持され、円形タッチパッドＴにおける中央ボタンＢを押圧する押しボタン３０とを備えて成ることを特徴とする。
操作機構１０は、円形タッチパッドＴの周辺部に当接するようカバー本体１裏面にカバー本体１自体を部分的に肉厚状にして形成したセット部６に設けられている。
回転ダイヤル１１は、操作窓口７の内周縁面に操作窓口７の中心側に向かって突設形成したガイド支持縁８上に載置し、ガイド支持縁８下に配した押圧カバー１３とでガイド支持縁８を挟持した状態で相互に固定されて操作窓口７内で回転自在にすると共に、押圧カバー１３には円形タッチパッドＴの周縁部分を部分的に押圧する押圧片１４を固着してある。
回転ダイヤル１１はクリック付与手段２０でクリック係止されるものとしてあり、このクリック付与手段２０は、押圧カバー１３側の端部に回転ダイヤル１１本体部分に比し小径にすることで回転ダイヤル１１自体にクリック段部２１を形成し、操作窓口７に連通させて押圧カバー１３側の内周縁に窪み状に形成したクリック凹所２３に設けたクリックアーム２４先端が、クリック段部２１の周縁に形成してある凹凸状のクリック溝２２に間欠的に係止するようにして成る。
押圧片１４を固着してある押圧カバー１３は、円形タッチパッドＴ面に当接してカバー本体１に付設されるカバーシート１５にて覆われている。
押しボタン３０は、回転ダイヤル１１の上面に開口した段部状のボタン収納口３１内に弾発的に押し込み可能に配し、回転ダイヤル１１の下面に開口した段部状の出没操作口３２内に出没可能にして、円形タッチパッドＴの中央ボタンＢ上に位置決めして配した押圧体３３と相互に固定してある。
【０００７】
以上のように構成されたこの考案に係る携帯音楽プレーヤー用回転式ジョグダイヤル具にあって、カバー本体１を携帯音楽プレーヤーＰ前面を覆うように携帯音楽プレーヤーＰに装着することで、操作機構１０を円形タッチパッドＴ直上に位置させる。操作機構１０の回転ダイヤル１１の回転操作は円形タッチパッドＴにおける周縁部分をこれに沿って移動しながら押圧し、携帯音楽プレーヤーＰにおけるディスプレーＤ上のアイテムを例えば順次に表示し、押しボタン３０の押し下げはそれを選択、決定する中央ボタンＢを押圧する。すなわち円形タッチパッドＴに対する手指等による直接の押圧旋回操作は、操作機構１０における回転ダイヤル１１の回転操作に変換され、いわゆるレトロ風の操作形態を実現させる。
カバー本体１に設けたセット部６は、操作機構１０を携帯音楽プレーヤーＰにおける円形タッチパッドＴ周辺部に当接状に位置決めさせ、回転ダイヤル１１の回転操作を円形タッチパッドＴの周縁部分の旋回押圧に、押しボタン３０の押し下げ操作を中央ボタンＢの押圧に確実に伝達させる。
回転ダイヤル１１の回転は、これに固定してある押圧カバー１３をも同時に回転させ、更には押圧片１４を旋回させるように移動させて、押圧片１４によって円形タッチパッドＴの周縁部分を部分的に移動しながら押圧させる。またクリック付与手段２０によって、回転ダイヤル１１の回転中は操作者の手指等にクリック感が与えられ、操作者における操作感を一層充実させる。
押圧カバー１３、押圧片１４を覆って円形タッチパッドＴに当接しているカバーシート１５は、カバーシート１５上で押圧片１４の旋回移動を、障害を生じさせることなく円滑にさせ、しかもカバーシート１５を介して円形タッチパッドＴ更には中央ボタンＢに対する部分的な押圧をも円滑にさせる。
押しボタン３０は、弾発的な押し下げ操作で押圧体３３を介して中央ボタンＢを押し込ませ、その押し下げ力の解除で原位置に復帰する。
【考案の効果】
【０００８】
この考案は以上説明したように構成されているため、携帯音楽プレーヤーＰに装着されることでプレーヤー本体の保護を図るのは勿論のこと、円形タッチパッドＴに対する操作を立体的に構成した回転ダイヤル１１による回転操作に変換して行え、いわゆるレトロ風の操作形態・操作感を簡単に実現できる。また携帯音楽プレーヤーＰの前面が円形タッチパッドＴと共に全体が平坦面であることで円形タッチパッドＰに対する操作が困難で、操作感が乏しいと感じる場合でも、その操作の確実性を感知できる。
【０００９】
すなわちこれはこの考案において、円形タッチパッドＴに対する操作で制御する携帯音楽プレーヤーＰの前面部を覆って携帯音楽プレーヤーＰに装着されるカバー本体１と、円形タッチパッドＴ直上に位置してカバー本体１に設けられた操作機構１０とから成り、操作機構１０は、カバー本体１上に突出させて回転可能に支持され、円形タッチパッドＴの周縁部を回転に伴い部分的に順次に押圧する回転ダイヤル１１と、この回転ダイヤル１１に出没自在にして支持され、中央ボタンＢを押圧する押しボタン３０とを備えて成るからである。これによって、プレーヤー本体の保護、円形タッチパッドＴに対する押圧旋回操作のダイヤル回転操作への変換、レトロ風操作の実現等が簡単に得られる。
【００１０】
また、操作機構１０は、カバー本体１に形成した肉厚状のセット部６に設けてあるから、携帯音楽プレーヤーＰの円形タッチパッドＴ直上でこれに当接した状態で位置決めでき、操作機構１０における回転ダイヤル１１、押しボタン３０による操作を円形タッチパッドＴに確実に伝達できる。
【００１１】
回転ダイヤル１１は、操作窓口７の内周縁面に突設形成したガイド支持縁８の上下から押圧カバー１３と共に相互に挟持した状態として連繋してあることで、このガイド支持縁８に案内支持されて操作窓口７内で円滑に回転できる。また押圧カバー１３には、円形タッチパッドＴの周縁部分を部分的に押圧する押圧片１４を固着してあるから、回転ダイヤル１１の回転は押圧カバー１３を同時に回転させ、更に押圧片１４を円形タッチパッドＴの周縁上で旋回移動し、円形タッチパッドＴの周縁部分を部分的に順次に押圧できる。
【００１２】
また、回転ダイヤル１１はクリック付与手段２０によってクリック係止されるから、操作者が回転ダイヤル１１を回転操作するときには、そのクリック感を感じながら操作できて一層の操作充実感を得られる。しかもクリック付与手段２０は、回転ダイヤル１１のクリック段部２１に形成したクリック溝２２に、操作窓口７に連通して形成したクリック凹所２３に設けてあるクリックアーム２４が間欠的に係止するから、回転ダイヤル１１の回転操作の障害にならずに、回転ダイヤル１１の回転操作を円滑にさせている。
【００１３】
押圧片１４を固着してある押圧カバー１３は、円形タッチパッドＴ面に当接してカバー本体１に付設されるカバーシート１５にて覆われているから、押圧片１４の旋回移動はカバーシート１５上でなされ、カバーシート１５を介して円形タッチパッドＴの周縁部分を押圧したものとなる。そのため押圧カバー１３から出張るようになる押圧片１４は直接に円形タッチパッドＴの周縁部分に当接しないから、周縁部分上で円滑に旋回し、回転ダイヤル１１の回転操作を阻害しない。
【００１４】
更に押しボタン３０は、回転ダイヤル１１の段部状のボタン収納口３１内に弾発的に押し込み可能に配してあるから、押圧体３３に対する押し下げ操作後は弾発力で自動的に原位置に復帰し、次操作・動作に備える。押しボタン３０による押圧体３３の押し込みは、円形タッチパッドＴにおける中央ボタンＢを確実に押し込み、中央ボタンＢを介しての各種設定・決定操作を確実にする。
【００１５】
尚、上記の課題を解決するための手段、考案の効果の項夫々において付記した符号は、図面中に記載した構成各部を示す部分との参照を容易にするためである。図面中の符号によって示された構造・形状にこの考案が限定されるものではない。
【考案を実施するための最良の形態】
【００１６】
以下図面を参照してこの考案を実施するための最良の一形態を説明すると、図において示される符号１は携帯音楽プレーヤーＰの前面全域を覆うように携帯音楽プレーヤーＰに着脱自在に装着されるカバー本体である。このカバー本体１は、所定の携帯音楽プレーヤーＰすなわちアップル・コンピュータ・インコーポレイテッド社の提供に係る商品名「ｉＰｏｄ  ｎａｎｏ」（登録商標）における１／２／４ＧＢタイプのものにやや強制的にでも嵌め合わせ装着できるように、その携帯音楽プレーヤーＰの外形に対応した内形を有する扁平な浅底ボックス状に形成されている。この「ｉＰｏｄ  ｎａｎｏ」タイプの携帯音楽プレーヤーＰは、その前面下部に円形タッチパッドＴを有しており、カバー本体１自体はこの円形タッチパッドＴを操作する操作機構１０を備えている。もとより、円形タッチパッドＴが備わっている携帯音楽プレーヤーＰであればいずれのものでも装着可能であり、装着対象品が「ｉＰｏｄ  ｎａｎｏ」タイプに限定されず、また音楽のみならず、画像・テキストその他の各種の電子データが格納されている携帯音楽プレーヤーＰに装着できることは勿論である。
【００１７】
カバー本体１自体は、携帯音楽プレーヤーＰの前面を覆う前面部に、携帯音楽プレーヤーＰのディスプレーＤを外観透視させる透明素材による窓板２を有する。そして、携帯音楽プレーヤーＰの上側面、左右側面を夫々覆う上面部、左右面部が前面部周側縁夫々に一体状に形成してあり、携帯音楽プレーヤーＰの底面には電源・ドック機器等との接続用のドック端子があるために、カバー本体１の底面部は開放されている。また、上面部、左右面部の下部夫々には携帯音楽プレーヤーＰの背面に係止する断面でほぼＬ字状の係止端４を連設してある。
【００１８】
窓板２は、カバー本体１におけるディスプレーＤ位置で開口されたほぼ矩形状の窓部３の周側縁内側に形成した段部に、窓板２自体の周側縁に形成した段部をカバー本体１内側から嵌め合わせると共に、当接する段部面相互に適当間隔で形成した孔、ピンを嵌め合わせることで窓部３に固定される。尚、図中符号５は例えばカバー本体１の上面部の左右のいずれかに設けられたストラップ孔である。
【００１９】
カバー本体１における前面部には、円形タッチパッドＴを操作するための操作機構１０が設けられており、携帯音楽プレーヤーＰに装着したときに円形タッチパッドＴの直上に位置している。操作機構１０は、カバー本体１を携帯音楽プレーヤーＰ前面部に装着したとき、円形タッチパッドＴの周辺部に当接するようカバー本体１裏面にカバー本体１自体を部分的に肉厚状にして形成したセット部６に設けられる。すなわちこのセット部６に開口された操作窓口７内で回転可能に支持され、円形タッチパッドＴの周縁部を回転に伴い部分的に順次に押圧する回転ダイヤル１１と、この回転ダイヤル１１の中心で出没自在にして支持され、円形タッチパッドＴにおける中央ボタンＢを押圧する押しボタン３０とを備えて成る。
【００２０】
回転ダイヤル１１自体は、カバー本体１の前面部上に突出されるよう立体的に形成されている有底のほぼ扁平筒状を呈し、外周側面には回転操作を容易にさせるようにローレット加工による細かい凹凸状の手指滑り止め縁１２を形成してある。この回転ダイヤル１１は、操作窓口７の内周縁面に操作窓口７の中心側に向かってガイド支持縁８を突設形成しておき、このガイド支持縁８上に載置セットした回転ダイヤル１１の周縁部と、ガイド支持縁８下に配した押圧カバー１３の周縁部とでガイド支持縁８を挟持した状態とする。次いで回転ダイヤル１１と押圧カバー１３とを例えば押圧カバー１３側からのネジのねじ込みで相互に固定することで、回転ダイヤル１１はガイド支持縁８によって案内されて操作窓口７内で回転するように支持される。尚、押圧カバー１３は回転ダイヤル１１の中心部を除いて回転ダイヤル１１に固定されるドーナツ板状を呈していて押しボタン３０の押し下げで後述する押圧体３３を突出させる空隙を形成してある。
【００２１】
尚、回転ダイヤル１１は、これの周縁を手指等によって摘み、直接に回転させるようにしてあるも、回転ダイヤル１１にハンドル・摘み等を設けて、これによって回転操作したり、他の部材の回転を適宜な伝達機構例えばベルト等によって伝達して回転操作したり等にすることも可能である（いずれも図示せず）。
【００２２】
また押圧カバー１３底面には、円形タッチパッドＴの周縁部分を部分的に押圧する押圧片１４が固着されている。すなわちこの押圧片１４は、円形タッチパッドＴを直接に指先等で周縁部分に沿ってスライドしながら部分的に押圧する指先のタッチ操作による周縁部分に対する押圧深さにほぼ対応する高さの薄片状にして形成されている。押圧片１４自体は例えば図示のように所定肉厚の扇片状部材にて例えば押圧カバー１３面に接着等で固着されている。
【００２３】
尚、図中符号１５は所定肉厚を有する薄片状のカバーシートであり、押圧カバー１３自体の回転、押圧片１４の旋回移動等を阻害することなく押圧カバー１３部分を覆うようにしてセット部６裏面に、例えばセット部６の両側に接着することで固定されている。また、このカバーシート１５は押圧カバー１３の回転に伴い押圧片１４が旋回状に移動するときカバーシート１５を部分的に順次に押し膨らまして円形タッチパッドＴの周縁部を押圧する。図示にあってカバーシート１５が覆われるセット部６部分は、カバーシート１５の肉厚分で低くなっていて、カバーシート１５が覆われたときには携帯音楽プレーヤーＰに対してセット部６が面一状で当接している。
【００２４】
カバーシート１５の表面側すなわち押圧片１４との当接面側は平滑面としてあって押圧片１４の旋回移動を円滑にしている。またカバーシート１５を介して円形タッチパッドＴの周縁部分を押圧することで、押圧片１４の円滑な旋回移動と相俟ち、円形タッチパッドＴに対する操作を一層円滑にする。
【００２５】
また、この回転ダイヤル１１はクリック感が付与されて回転操作ができるように配慮されている。そのためのクリック付与手段２０は、回転ダイヤル１１自体における押圧カバー１３側の端部に回転ダイヤル１１本体部分に比し小径にすることでクリック段部２１を形成しておく。一方、操作窓口７に連通させて押圧カバー１３側の内周縁に窪み状に形成したクリック凹所２３に、このクリック凹所２３のいずれかの端部から連設することで先端が円弧状となっているクリックアーム２４を設ける。このクリックアーム２４先端が、クリック段部２１の周縁に形成してある凹凸状のクリック溝２２に、押圧カバー１３の回転に伴い間欠的に係止して成る。
【００２６】
クリック溝２２は図示のように三角山形状に連続したものに限らず、円弧形状に連続してあってもよく、クリックアーム２４自体は操作窓口７の直径方向に沿って弾発的に揺動するようにしてあってもよい。尚、図示にあってクリック凹所２３は、操作窓口７に等間隔で３箇所すなわち１２０度間隔で設けられているも、これに限定されない。
【００２７】
回転ダイヤル１１の中心部には、円形タッチパッドＴにおける中央ボタンＢを押圧操作する押しボタン３０が出没操作可能に設けられている。この押しボタン３０は、回転ダイヤル１１の上面における中心部に開口した段部状のボタン収納口３１内に弾発的に押し込み可能に配してある。そして回転ダイヤル１１の下面における中心部に開口した段部状の出没操作口３２内に出没可能にして配した押圧体３３と、例えば押圧体３３側からのネジのねじ込みで相互に固定することで連繋してある。こうすることで、押しボタン３０は回転ダイヤル１１の上下方向に沿って押し込まれ案内されることによって押圧体３３を回転ダイヤル１１下方に突出させ、カバーシート１５を介して円形タッチパッドＴの中央ボタンＢを押圧する。
【００２８】
押しボタン３０自体は断面でほぼＴ字形を呈し、ボタン収納口３１内に伸張傾向にして挿入したコイル状の復帰スプリング３４による弾発力に抗してボタン収納口３１内に押し込まれ、その押し込み力の解除で原位置に復帰する。
【００２９】
次にこれの使用の一例を説明する。図１に示すように音楽等の再生その他のために制御する入力デバイスとして円形タッチパッドＴを前面部に備えた所定の携帯音楽プレーヤーＰにおいて、これの前面部を覆うように装着し、操作機構１０を円形タッチパッドＴ位置に対応させる。スイッチの投入等によって所定の記録内容をディスプレーＤに表示させておいて、回転ダイヤル１１を手指等で摘み回転操作してディスプレーＤ上のアイテムを順次に表示し、押しボタン３０の押し込みではそれを選択する。すなわち従来の円形タッチパッドＴに対する直接の指先による押圧したスライド操作が、回転ダイヤル１１を摘んでの回転操作に変換することで操作・選択する。
【００３０】
回転ダイヤル１１の回転操作は、回転ダイヤル１１に連繋してある押圧カバー１３をも回転させ、押圧カバー１３に固着してある押圧片１４によってカバーシート１５を介して円形タッチパッドＴの周縁部分を操作することになる。また押しボタン３０の押し込みは、押しボタン３０に連繋してある押圧体３３を押圧し、カバーシート１５を介して円形タッチパッドＴの中央ボタンＢを押圧操作することになる。
【００３１】
またカバー本体１自体は、携帯音楽プレーヤーＰの前面部を覆い、携帯音楽プレーヤーＰ自体を外部からの衝撃等から保護する。
【図面の簡単な説明】
【００３２】
【図１】この考案を実施するための最良の形態を示す携帯音楽プレーヤーへの装着前の斜視図である。
【図２】同じく一部切欠分解斜視図である。
【図３】同じく装着時の断面図である。
【図４】同じくクリック付与手段における平断面図である。
【符号の説明】
【００３３】
Ｂ…中央ボタン                          Ｄ…ディスプレー
Ｐ…携帯音楽プレーヤー                  Ｔ…円形タッチパッド
１…カバー本体                          ２…窓板
３…窓部                                ４…係止端
５…ストラップ孔                        ６…セット部
７…操作窓口                            ８…ガイド支持縁
１０…操作機構                          １１…回転ダイヤル
１２…手指滑り止め縁                    １３…押圧カバー
１４…押圧片                            １５…カバーシート
２０…クリック付与手段                  ２１…クリック段部
２２…クリック溝                        ２３…クリック凹所
２４…クリックアーム
３０…押しボタン                        ３１…ボタン収納口
３２…出没操作口                        ３３…押圧体
３４…復帰スプリング
【図１】
0003124211.tif 000003
【図２】
0003124211.tif 000004
【図３】
0003124211.tif 000005
【図４】
0003124211.tif 000006